(57)【特許請求の範囲】
【請求項１】
連結した直管形ランプに通電せしめるライティングユニットを連続設置する際に使用する直管形ランプ連用ケースであって、下面に位置する開口部に開口フランジを形成し、該開口フランジから側板と天板とを有する樋状を成したライティングケースを設け、側板の長手両端部に、隣接するライティングケースの開口フランジ上で側板の内側に相互にネジ止めされる連結片を形成すると共に、天板の長手両端部に突出して隣接する天板内側に重合する重合片を形成し、これら連結片と重合片とで隣接するライティングケース相互を連結するように構成したことを特徴とする直管形ランプ連用ケース。
【請求項２】
前記側板から前記天板に至る長手両端部を上面から見て平行な傾斜状に形成し、該長手両端部に凸端部と凹端部とを構成し、該凹端部から前記連結片を延長して隣接するライティングケースの凸端部の内側に重合するように構成した請求項１記載の直管形ランプ連用ケース。
【請求項３】
前記重合片は舌片状を成し、前記天板の片側寄りに形成されて連結時に隣接する重合片が平行に並ぶように構成され、前記連結片は角孔状のボルト挿通孔が開穿され、この連結片に重なる凸端部と角根ボルトにて連結するように構成された請求項１記載の直管形ランプ連用ケース。
【請求項４】
前記ライティングケースに装着する前記ライティングユニットは、略帯状の反射板と、該反射板の両端部に装着する直管形ランプ用のソケットと、該ソケット及び隣接する直管形ランプのソケットに電源を供給するコネクタと、これらソケット及びコネクタを、間隙を空けて上下に装着するマウントベースとで構成された請求項１記載の直管形ランプ連用ケース。
【発明の詳細な説明】
【技術分野】
【０００１】
本発明は、直管形ＬＥＤランプや直管形蛍光灯を連設する際に使用する直管形ランプ連用ケースに係り、特に、連結強度に優れ連結作業が容易な直管形ランプ連用ケースに関するものである。
【背景技術】
【０００２】
従来、駅舎、工場、地下駐車場等に直管形の蛍光灯を取り付ける場合、レースウェイや金属ダクトに蛍光灯器具を装着し、この器具に蛍光灯を取り付けている。この蛍光灯器具を装着するには、レースウェイ等に電線を通線し、蛍光灯器具を取り付けた後に、引き込んである電線を端子台に接続し、反射板を装着した後に、蛍光管を取り付けるといった手間のかかる作業が行われていた。
【０００３】
そこで、当出願人は、特許文献１に記載のごとく、複数の蛍光灯器具を連設する際に合理的な装着を可能にした連用蛍光灯システムを先に提案している。特許文献１では、ソケットに接続端子と送り端子を着脱自在に装着することで、蛍光灯器具の装着を容易にしたものである。
【０００４】
この連用蛍光灯システムは、吊り金具等で懸吊するライティングケースに、直管形ランプを接続せしめるライティングユニットを装着する。したがって、システムの強度は、このライティングケースの連結強度により決定されるものである。そこで、特許文献１では、配線用ダクトをライティングケースに利用してライティングユニットを装着する構成を採用していた。
【０００５】
一方、従来の連用照明器具の連結手段として、例えば、特許文献２に記載の連結型蛍光灯照明器具が記載されている。この連用照明器具は、蛍光ランプソケットを備えた器具本体の下面に装着する反射板を連結する構成で、連続配置する反射板相互を連結する手段が記載されている。
【先行技術文献】
【特許文献】
【０００６】
【特許文献１】特公平７−１０７８０１号公報
【特許文献２】実開平１−８６１１７号公報
【発明の概要】
【発明が解決しようとする課題】
【０００７】
特許文献１の連用蛍光灯システムのように、ライティングケースに配線用ダクトを利用した連用蛍光灯システムは、１本の配線用ダクトに複数のライティングユニットを装着するので、連結強度が優れたシステムを構成することができる。ところが、長尺な配線用ダクトの使用ができない場合には、配線用ダクトに替わる複数のライティングケースを連結する必要がある。
【０００８】
一方、特許文献２のように、従来の反射板相互を連結する手段では、ライティングケースを連結する際の十分な強度を得られるものではなかった。すなわち、前記特許文献１の連用システムでは、ライティングケースの下面にライティングユニットを装着するので、ライティングケースには、直管形ＬＥＤランプや直管形蛍光灯などの直管形ランプの荷重に加え、電源装置や反射板など、ライティングユニットの全ての荷重が加わる。更に、ライティングユニットを装着する際の作業時の荷重も加わることにもなる。したがって、特許文献２に記載の反射板相互を連結する手段では、ライティングケースを連結する手段として極めて脆弱であった。
【０００９】
しかも、従来の反射板相互を連結する手段では、反射板相互の連結端部が一直線状に突き当たる構成を成している。そのため、反射板に荷重が加わると、この連結端部に荷重が集中する構造になっており、連結端部が簡単に破戒されてしまう構成になっていた。更に、連結部分に連結金具を設ける構造になっているので、製造工程が複雑になり製造コストを高める不都合もあった。また、反射板が広く張り出しているので、埃等の堆積し易い構成になっており、メンテナンスにも課題を残すものであった。
【００１０】
一方、現在では、蛍光灯ランプの形状を成した「直管蛍光ランプ形ＬＥＤランプ」なども使用されており、この「直管蛍光ランプ形ＬＥＤランプ」を連用システムに使用するには、特許文献１の如く、強度に優れたライティングケースの下面にライティングユニットを装着する構成が望ましい。
【００１１】
そこで、本発明は、特許文献１の連用蛍光灯システムの構造を見直すことで、配線用ダクトやレースウェイを利用できない場合でも、強固な連結強度が得られ、しかも連結作業が容易な直管形ランプ連用ケースの提供を目的とするものである。
【課題を解決するための手段】
【００１２】
上述の目的を達成すべく本発明における第１の手段は、連結した直管形ランプＰに通電せしめるライティングユニット２０を連続設置する際に使用する直管形ランプ連用ケースであって、下面に位置する開口部に開口フランジ１１を形成し、該開口フランジ１１から側板１２と天板１４とを有する樋状を成したライティングケース１０を設け、側板１２の長手両端部に、隣接するライティングケース１０の開口フランジ１１上で側板１２の内側に相互にネジ止めされる連結片１５を形成すると共に、天板１４の長手両端部に突出して隣接する天板１４内側に重合する重合片１４Ａを形成し、これら連結片１５と重合片１４Ａとで隣接するライティングケース１０相互を連結するように構成したことにある。
【００１３】
第２の手段は、前記側板１２から前記天板１４に至る長手両端部を上面から見て平行な傾斜状に形成し、該長手両端部に凸端部１２Ａと凹端部１２Ｂとを構成し、該凹端部１２Ｂから前記連結片１５を延長して隣接するライティングケース１０の凸端部１２Ａの内側に重合するように構成したものである。
【００１４】
第３の手段の前記重合片１４Ａは舌片状を成し、前記天板１４の片側寄りに形成されて連結時に隣接する重合片１４Ａが平行に並ぶように構成され、前記連結片１５は角孔状のボルト挿通孔１２Ｄが開穿され、この連結片１５に重なる凸端部１２Ａと角根ボルト１６にて連結するように構成されたものである。
【００１５】
第４の手段において、前記ライティングケース１０に装着する前記ライティングユニット２０は、略帯状の反射板２１と、該反射板２１の両端部に装着する直管形ランプＰ用のソケット２２と、該ソケット２２及び隣接する直管形ランプＰのソケット２２に電源を供給するコネクタ２３と、これらソケット２２及びコネクタ２３を、間隙を空けて上下に装着するマウントベース２４とで構成されたものである。
【発明の効果】
【００１６】
本発明の請求項１のごとく、側板１２の長手両端部に、隣接するライティングケース１０の開口フランジ１１上で側板１２の内側に相互にネジ止めされる連結片１５を形成すると共に、天板１４の長手両端部に突出して隣接する天板１４内側に重合する重合片１４Ａを形成し、これら連結片１５と重合片１４Ａとで隣接するライティングケース１０相互を連結するように構成したことにより、特に、連結部分に大きな荷重が加わった場合でも、連結片１５は開口フランジ１１上に係止する構成を成しているので、強固な連結強度が得られるものである。この結果、下面開口部にライティングユニット２０を装着する際に加わる荷重に十分耐え得るものである。
【００１７】
しかも、連結片１５と、重合片１４Ａとで隣接するライティングケース１０相互を連結するジョイントレス構造、すなわち他の継ぎ金具を使用しない構造であるから、連結作業を極めて簡略化すると共に、製造コストを安価にすることができる。また、ライティングケース１０は、側板１２と天板１４とを有する樋状を成しているので、ライティングケース１０上面に堆積する埃等が少なくなるので、メンテナンスも容易になる。
【００１８】
請求項２のように、側板１２から前記天板１４に至る長手両端部を上面から見て平行な傾斜状に形成し、該長手両端部に凸端部１２Ａと凹端部１２Ｂとを構成し、該凹端部１２Ｂから前記連結片１５を延長して隣接するライティングケース１０の凸端部１２Ａの内側に重合するように構成したことで、ライティングケース１０相互を連結する際に、側面方向からの連結が可能になる。すなわち、連結端部を雄型と雌型とを差し込むように構成すると、長手方向にスライドさせる必要があるので、連続設置された後は、中間のライティングケース１０は抜けなくなり、所謂、破目殺し状態になる。ところが、本発明の側板１２は、上面から見て平行な傾斜状に形成しているので、長手方向にスライドさせる必要はなく、側面方向からの連結が可能になるので、連続設置された後でも、中間のライティングケース１０を交換することが可能になるものである。また、側板１２の長手両端部を上面から見て平行な傾斜状に形成していることは、使用時において、全く視野に入らないので、外観上の違和感もない。しかも、ライティングケース１０の両端部が同一形状なので、雄型と雌型とを差し込むタイプのような相性がなくなり自由に取り付けることができる。
【００１９】
請求項３の如く、重合片１４Ａは舌片状を成し、天板１４の片側寄りに形成されて連結時に隣接する重合片１４Ａが平行に並ぶように構成されているので、上方からの荷重により発生する水平力に対抗し、ライティングケース１０の質量によるたわみ変形を防止することができる。また、連結片１５は角孔状のボルト挿通孔１２Ｄが開穿され、この連結片１５に重なる凸端部１２Ａと角根ボルト１６にて連結するように構成されているので、連結作業時は、重合片１４Ａを互いに差し込み、一対の連結片１５を片側１本ずつの角根ボルト１６で連結するだけで確実に連結することが可能になる。この結果、連結作業をより簡略化することができる。しかも、天板１４の重合片１４Ａと側板１２の連結片１５との３点支持となることで、連結片１５を１本の角根ボルト１６で連結しても連結部分の回転を防止することができ、連結部分に加わる上方向からの荷重に効果を発揮する構造になっている。
【００２０】
請求項４のように、ライティングケース１０に装着するライティングユニット２０として、略帯状の反射板２１と、該反射板２１の両端部に装着する直管形ランプＰ用のソケット２２と、該ソケット２２及び隣接する直管形ランプＰのソケット２２に電源を供給するコネクタ２３と、これらソケット２２及びコネクタ２３を、間隙を空けて上下に装着するマウントベース２４とで構成されたものとすることで、ソケット２２及びコネクタ２３を、間隙を空けて上下に装着するマウントベース２４を備えた特殊なライティングユニット２０でも、ライティングケース１０の開口部に装着することができるものである。したがって、直管形ランプＰは、従来の蛍光ランプはもちろん、直管形ＬＥＤランプなどでも利用することが可能になる。
【図面の簡単な説明】
【００２１】
【図１】本発明の使用状態の一実施例を示す側面図である。
【図２】本発明のライティングケースの一実施例を示す平面図である。
【図３】本発明のライティングケースの一実施例を示す側面図である。
【図４】本発明のライティングケースの一実施例を示す要部斜視図である。
【図５】本発明の重合片の連結状態を示す要部平面図である。
【図６】本発明のライティングケースの連結部を示す断面図である。
【図７】本発明の使用状態の一実施例を示す分解斜視図である。
【発明を実施するための形態】
【００２２】
本発明によると、配線用ダクトやレースウェイを利用できない場合でも、強固な連結強度が得られ、しかも連結作業が容易なるなどといった当初の目的を達成した。
【実施例】
【００２３】
以下、本発明の実施例を説明する。本発明連用ケースは、連結した直管形ランプＰに通電せしめるライティングユニット２０を連続設置する際に、ライティングケース１０を長手方向に接続して使用するものである（図１参照）。
【００２４】
このライティングケース１０は、樋状を成した形状で、天井等に吊り金具４０で吊下げされ、下を向けたライティングケース１０の開口部に、後述するライティングユニット２０を装着するように設けられている（図７参照）。
【００２５】
ライティングケース１０の長手両端部は、連設する際に当接するように構成している（図５参照）。このライティングケース１０の構成は、下面に位置する開口部に開口フランジ１１を形成し、該開口フランジ１１から側板１２と天板１４とを有する樋状を成したものである（図６参照）。図示例では、下面開口部の開口フランジ１１から垂直に立ち上がる一対の側板１２と、各側板１２の上端部から天板１４に連続する一対の斜め側板１３と、水平な天板１４とが構成されたものである。
【００２６】
このようなライティングケース１０における側板１２の長手両端部に連結片１５を形成している（図２参照）。この連結片１５は、隣接するライティングケース１０の開口フランジ１１上で側板１２の内側に相互にネジ止めされる部材である（図６参照）。図示例では、側板１２から天板１４にかけて、平面から見て平行な傾斜状に形成することで、各側板１２の長手端部に凸端部１２Ａと凹端部１２Ｂとを形成している（図２参照）。そして、凹端部１２Ｂ側の側板１２から隣接するライティングケース１０の凸端部１２Ａ側の側板１２の内側に重合してネジ止めされる連結片１５を設けている（図４参照）。
【００２７】
図示の連結片１５は、角孔状のボルト挿通孔１２Ｄを開穿し、この連結片１５に重なる凸端部１２Ａ側の側板１２には丸孔状のボルト挿通孔１２Ｅを開穿している（図４参照）。そして、これらを角根ボルト１６にて連結するものである（図６参照）。このとき、挿通孔１２Ｄの周囲を外側の側板１２と逆方向に僅かに突出させることで、連結片１５と側板１２との連結強度を高めている。
【００２８】
天板１４には、長手両端部に突出して隣接するライティングケース１０の天板１４内側に重合する重合片１４Ａを設けている（図３参照）。図示の重合片１４Ａは舌片状を成し、天板１４の片側寄りに形成されて連結時に隣接する重合片１４Ａが平行に並ぶように構成されている（図５参照）。
【００２９】
したがって、隣接するライティングケース１０相互を連結する場合は、天板１４内側に重合する重合片１４Ａと、凹端部１２Ｂから隣接するライティングケース１０の凸端部１２Ａ側の側板１２の内側に重合してネジ止めされる連結片１５とで連結するものである（図４参照）。
【００３０】
ライティングケース１０に装着するライティングユニット２０は、直管形ＬＥＤランプや直管形蛍光灯などの直管形ランプＰを支持するライティングユニット２０が装着される（図７参照）。図示例のライティングユニット２０は、略帯状の反射板２１と、該反射板２１の両端部に装着する直管形ランプＰ用のソケット２２と、該ソケット２２及び隣接する直管形ランプＰのソケット２２に電源を供給するコネクタ２３と、これらソケット２２及びコネクタ２３を、間隙を空けて上下に装着するマウントベース２４とで構成されたものである。
【００３１】
ライティングユニット２０は、略帯状の反射板２１と、該反射板２１の両端部に装着する直管形ランプＰ用のソケット２２と、該ソケット２２及び隣接する直管形ランプＰのソケット２２に電源を供給するコネクタ２３と、これらソケット２２及びコネクタ２３を、間隙を空けて上下に装着するマウントベース２４とで構成されたものである（図７参照）。
【００３２】
マウントベース２４は、直管形ＬＥＤランプＰ用のソケット２２及びコネクタ２３を装着する部材で、ソケットベース２５とコネクタベース２６とで構成されている（図７参照）。図示例では、帯状の金属板が側面略コ字状に屈曲された形状を成している。そして、ライティングユニット２０側にソケットベース２５を配し、このソケットベース２５にソケット２２を装着する。また、ライティングケース１０側にコネクタベース２６を配し、コネクタ２３を着脱自在に装着している。
【００３３】
また、マウントベース２４は、ソケットベース２５からコネクタベース２６までに間隙を設けており、この間隙でＬＥＤドライバの二次側電線などをソケット２２に連結する作業スペースを形成している。すなわち、直管形ＬＥＤランプＰのタイプ別により、ＬＥＤドライバを使用するものと使用しないタイプがある。また、同じタイプでも、両側給電方式や片側給電方式などがあり、いずれのタイプや給電方式の直管蛍光ランプ形ＬＥＤランプＰが選択されたとしても、同じマウントベース２４上でソケット２２への配線が容易に接続することができるように構成している。
【００３４】
このように、ソケット２２及びコネクタ２３を、間隙を空けて上下に装着するマウントベース２４を備えた特殊なライティングユニット２０であっても、開口フランジ１１、側板１２、斜め側板１３、天板１４から成るライティングケース１０の開口内部に装着することができる。
【００３５】
更に、図示例では、クリップ体３０を使用して、ライティングケース１０の開口フランジ１１にライティングユニット２０を固定するものである（図７参照）。このクリップ体３０は、ソケットベース２５と反射板２１とを貫通してライティングケース１０に係止するように構成されている。更に、このクリップ体３０で、反射板２１の上面にソケットベース２５を固定するものでもある。
【産業上の利用可能性】
【００３６】
本発明連用ケースは、主に、駅舎、工場、地下駐車場等に直管形ランプを取り付ける場合を想定した説明になっているが、本発明の利用場所はこの例に限られるものではない。また、本発明の各構成は、図示例に限定されるものではなく、本発明の要旨を変更しない範囲での設計変更は自由である。
【符号の説明】
【００３７】
Ｐ  直管形ランプ
１０  ライティングケース
１１  開口フランジ
１２  側板
１２Ａ  凸端部
１２Ｂ  凹端部
１３  斜め側板
１４  天板
１４Ａ  重合片
１５  連結片
１６  角根ボルト
２０  ライティングユニット
２１  反射板
２２  ソケット
２３  コネクタ
２４  マウントベース
２５  ソケットベース
２６  コネクタベース
３０  クリップ体
３１  連結ボルト
３２  係止片
４０  吊り金具
【要約】
【課題】強固な連結強度が得られ、しかも連結作業が容易な直管形ランプ連用ケースを提供する。
【解決手段】樋状を成したライティングケース１０を設ける。該ライティングケース１０の長手両端部を平面から見て平行な傾斜状に形成する。該長手両端部に凸端部１２Ａと凹端部１２Ｂとを構成する。該凹端部１２Ｂから隣接する凸端部１２Ａの内側に重合してネジ止めされる連結片１５を設ける。天板１４の長手両端部に突出して隣接する天板１４内側に重合する重合片１４Ａを設ける。連結片１５と重合片１４Ａとでライティングケース１０相互を連結する。
【選択図】  図２【図１】
0005146892.tif 000002
【図２】
0005146892.tif 000003
【図３】
0005146892.tif 000004
【図４】
0005146892.tif 000005
【図５】
0005146892.tif 000006
【図６】
0005146892.tif 000007
【図７】
0005146892.tif 000008